【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
アクセスポイントから、通信媒体上でのアップリンク送信のためのリソースの第１のセットのために第１のアクセス端末に第１のスケジューリング許可を送ることと、
前記アクセスポイントから、前記通信媒体上でのアップリンク送信のためのリソースの第２のセットのために第２のアクセス端末に第２のスケジューリング許可を送ることと、
前記アクセスポイントによって、リソースの前記第１のセットおよびリソースの前記第２のセット内に、またはリソースの前記第１のセットとリソースの前記第２のセットの間にアクセス端末競合のための一連の再競合ギャップをスケジュールすることと、ここにおいて、前記再競合ギャップの対応するスケジュールが、前記第１のスケジューリング許可または前記第２のスケジューリング許可のうちの少なくとも１つ中に含まれる、
前記アクセスポイントによって、前記一連の再競合ギャップの各々中に前記通信媒体上でのアップリンクおよびダウンリンク送信を無音化することと
を備える、通信方法。
【請求項２】
前記無音化することが、
アップリンクサブフレームの１つまたは複数のシンボル期間中にサウンディング基準信号（ＳＲＳ）ギャップを広告することと、
前記１つまたは複数のシンボル期間中にＳＲＳ送信のためのアクセス端末を構成しないことと
を備える、請求項１に記載の方法。
【請求項３】
リソースの前記第１のセットとリソースの前記第２のセットとが、それぞれのシンボル期間中に時分割多重化される、ここにおいて、前記再競合ギャップが、リソースの前記第１のセットに関連する１つまたは複数のシンボル期間とリソースの前記第２のセットに関連する１つまたは複数のシンボル期間との間に発生するようにスケジュールされる、または
リソースの前記第１のセットとリソースの前記第２のセットとが、１つまたは複数の共通シンボル期間中に周波数分割多重化される、ここにおいて、前記再競合ギャップが、リソースの前記第１のセットとリソースの前記第２のセットとに関連する前記１つまたは複数の共通シンボル期間内に発生するようにスケジュールされる、
請求項１に記載の方法。
【請求項４】
リソースの前記第１のセットとリソースの前記第２のセットとが、時間および周波数において重複している、前記方法は、前記一連の再競合ギャップのうちの少なくとも１つ中に前記通信媒体へのアクセスを求めて競合することに関して前記第２のアクセス端末よりも前記第１のアクセス端末を優先させることをさらに備える、請求項１に記載の方法。
【請求項５】
前記優先させることが、
前記第１のアクセス端末に１つまたは複数の競合パラメータの第１のセットを送ることと、
前記第２のアクセス端末に１つまたは複数の競合パラメータの第２のセットを送ることと、ここにおいて、１つまたは複数の競合パラメータの前記第１のセットが、ランダム選択競合窓サイズのために１つまたは複数の競合パラメータの前記第２のセットよりも小さい変数空間を定義する、
を備える、請求項４に記載の方法。
【請求項６】
前記優先させることが、
１つまたは複数の競合パラメータの第１のセットに従って前記第１のアクセス端末のための第１のランダム選択競合窓サイズを決定することと、
１つまたは複数の競合パラメータの第２のセットに従って前記第２のアクセス端末のための第２のランダム選択競合窓サイズを決定することと、ここにおいて、１つまたは複数の競合パラメータの前記第１のセットが、ランダム選択競合窓サイズのために１つまたは複数の競合パラメータの前記第２のセットよりも小さい変数空間を定義する、
前記第１のアクセス端末および前記第２のアクセス端末に、それぞれ、前記第１の競合窓サイズおよび前記第２の競合窓サイズを送ることと
を備える、請求項４に記載の方法。
【請求項７】
通信媒体上でのアップリンク送信のためのリソースの第１のセットのために第１のアクセス端末に第１のスケジューリング許可を送り、前記通信媒体上でのアップリンク送信のためのリソースの第２のセットのために第２のアクセス端末に第２のスケジューリング許可を送るための手段と、
リソースの前記第１のセットおよびリソースの前記第２のセット内に、またはリソースの前記第１のセットとリソースの前記第２のセットの間にアクセス端末競合のための一連の再競合ギャップをスケジュールするための手段と、ここにおいて、前記再競合ギャップの対応するスケジュールが、前記第１のスケジューリング許可または前記第２のスケジューリング許可のうちの少なくとも１つ中に含まれる、
前記一連の再競合ギャップの各々中に前記通信媒体上でのアップリンクおよびダウンリンク送信を無音化するための手段と
を備えるアクセスポイント。
【請求項８】
アクセスポイントからアクセス端末において、通信媒体上でのアップリンク送信のために前記アクセス端末にリソースのセットを割り振るおよび再競合ギャップをスケジュールするスケジューリング許可を受信することと、
前記アクセス端末によって、前記スケジューリング許可に基づいて前記通信媒体へのアクセスを求めて競合することと、
前記アクセス端末から前記アクセスポイントに、前記競合することに基づいてリソースの前記割り振られたセットを介してアップリンクトラフィックを選択的に送信することと
を備える、通信方法。
【請求項９】
前記スケジューリング許可が、複数の送信機会（ＴＸＯＰ）にわたって前記アクセス端末に次回の時間および周波数リソースを割り振る、請求項８に記載の方法。
【請求項１０】
前記スケジューリング許可が、変調およびコーディング方式の指示をさらに含む、請求項９に記載の方法。
【請求項１１】
前記スケジューリング許可が、リソースの前記割り振られたセットに関連する満了期間を含む、請求項８に記載の方法。
【請求項１２】
前記アクセスポイントから前記アクセス端末において、前記通信媒体上でのアップリンク送信のために前記アクセス端末にリソースのオーバーライドセットを割り振る第２のスケジューリング許可を受信することと
をさらに備える、請求項８に記載の方法。
【請求項１３】
前記選択的に送信することが、
前記競合することが成功したことに応答してリソースの前記割り振られたセットを介して前記アップリンクトラフィックを送信することと、
前記競合することが失敗したことに応答してリソースの前記割り振られたセットを介して前記アップリンクトラフィックを送信するのを控えることと
を備える、請求項８に記載の方法。
【請求項１４】
前記競合することが、
リソースの前記割り振られたセットの第１のインスタンスのために前記通信媒体へのアクセスを求めて競合することと、
リソースの前記割り振られたセットの第２のインスタンスのために前記通信媒体へのアクセスを求めて再競合することと
を備える、請求項８に記載の方法。
【請求項１５】
アクセスポイントから、通信媒体上でのアップリンク送信のためにアクセス端末にリソースのセットを割り振るおよび再競合ギャップをスケジュールするスケジューリング許可を受信するための手段と、
前記アクセス端末によって、前記スケジューリング許可に基づいて前記通信媒体へのアクセスを求めて競合するための手段と、
前記アクセスポイントに、前記競合することに基づいてリソースの前記割り振られたセットを介してアップリンクトラフィックを選択的に送信するための手段と、
を備えるアクセス端末。
【手続補正２】
【補正対象書類名】明細書
【補正対象項目名】００９４
【補正方法】変更
【補正の内容】
【００９４】
[00107]上記の開示は、様々な例示的な態様を示しているが、添付の特許請求の範囲によって定義された範囲から逸脱することなく様々な変更および修正が図示された例に加えられ得ることに留意されたい。本開示は、具体的に示された例のみに限定されるものではない。たとえば、別段に記載されていない限り、本明細書で説明した開示の態様による方法クレームの機能、ステップおよび／またはアクションは、特定の順序で実施されなくてもよい。さらに、いくつかの態様は、単数形で説明または請求されていることがあるが、単数形に限定することが明示的に述べられていない限り、複数形が企図される。
以下に本願の出願当初の特許請求の範囲に記載された発明を付記する。
［Ｃ１］  通信媒体上でのアップリンク送信のためのリソースの第１のセットのために第１のアクセス端末に第１のスケジューリング許可を送ることと、
前記通信媒体上でのアップリンク送信のためのリソースの第２のセットのために第２のアクセス端末に第２のスケジューリング許可を送ることと、
リソースの前記第１のセットおよびリソースの前記第２のセット内に、またはリソースの前記第１のセットとリソースの前記第２のセットの間にアクセス端末競合のための一連の再競合ギャップをスケジュールすることと、ここにおいて、前記再競合ギャップの対応するスケジュールが、前記第１のスケジューリング許可または前記第２のスケジューリング許可のうちの少なくとも１つ中に含まれる、
前記一連の再競合ギャップの各々中に前記通信媒体上でのアップリンクおよびダウンリンク送信を無音化することと
を備える、通信方法。
［Ｃ２］  前記無音化することが、アップリンクサブフレームの１つまたは複数のシンボル期間をミュートすることを備える、Ｃ１に記載の方法。
［Ｃ３］  前記無音化することが、
アップリンクサブフレームの１つまたは複数のシンボル期間中にサウンディング基準信号（ＳＲＳ）ギャップを広告することと、
前記１つまたは複数のシンボル期間中にＳＲＳ送信のためのアクセス端末を構成しないことと
を備える、Ｃ１に記載の方法。
［Ｃ４］  リソースの前記第１のセットとリソースの前記第２のセットとが、それぞれのシンボル期間中に時分割多重化される、ここにおいて、前記再競合ギャップが、リソースの前記第１のセットに関連する１つまたは複数のシンボル期間とリソースの前記第２のセットに関連する１つまたは複数のシンボル期間との間に発生するようにスケジュールされる、Ｃ１に記載の方法。
［Ｃ５］  リソースの前記第１のセットとリソースの前記第２のセットとが、１つまたは複数の共通シンボル期間中に周波数分割多重化される、ここにおいて、前記再競合ギャップが、リソースの前記第１のセットとリソースの前記第２のセットとに関連する前記１つまたは複数の共通シンボル期間内に発生するようにスケジュールされる、Ｃ１に記載の方法。
［Ｃ６］  リソースの前記第１のセットとリソースの前記第２のセットとが、時間および周波数において重複している、前記方法は、前記一連の再競合ギャップのうちの少なくとも１つ中に前記通信媒体へのアクセスを求めて競合することに関して前記第２のアクセス端末よりも前記第１のアクセス端末を優先させることをさらに備える、Ｃ１に記載の方法。
［Ｃ７］  前記優先させることが、
前記第１のアクセス端末に１つまたは複数の競合パラメータの第１のセットを送ることと、
前記第２のアクセス端末に１つまたは複数の競合パラメータの第２のセットを送ることと、ここにおいて、１つまたは複数の競合パラメータの前記第１のセットが、ランダム選択競合窓サイズのために１つまたは複数の競合パラメータの前記第２のセットよりも小さい変数空間を定義する、
を備える、Ｃ６に記載の方法。
［Ｃ８］  前記優先させることが、
１つまたは複数の競合パラメータの第１のセットに従って前記第１のアクセス端末のための第１のランダム選択競合窓サイズを決定することと、
１つまたは複数の競合パラメータの第２のセットに従って前記第２のアクセス端末のための第２のランダム選択競合窓サイズを決定することと、ここにおいて、１つまたは複数の競合パラメータの前記第１のセットが、ランダム選択競合窓サイズのために１つまたは複数の競合パラメータの前記第２のセットよりも小さい変数空間を定義する、
前記第１のアクセス端末および前記第２のアクセス端末に、それぞれ、前記第１の競合窓サイズおよび前記第２の競合窓サイズを送ることと
を備える、Ｃ６に記載の方法。
［Ｃ９］  通信媒体上でのアップリンク送信のためのリソースの第１のセットのために第１のアクセス端末に第１のスケジューリング許可を送ることと、前記通信媒体上でのアップリンク送信のためのリソースの第２のセットのために第２のアクセス端末に第２のスケジューリング許可を送ることとを行うように構成された少なくとも１つのトランシーバと、
少なくとも１つのプロセッサと、
前記少なくとも１つのプロセッサに結合された少なくとも１つのメモリとを備え、前記少なくとも１つのプロセッサと前記少なくとも１つのメモリとが、
リソースの前記第１のセットおよびリソースの前記第２のセット内に、またはリソースの前記第１のセットとリソースの前記第２のセットの間にアクセス端末競合のための一連の再競合ギャップをスケジュールすることと、ここにおいて、前記再競合ギャップの対応するスケジュールが、前記第１のスケジューリング許可または前記第２のスケジューリング許可のうちの少なくとも１つ中に含まれる、
前記一連の再競合ギャップの各々中に前記通信媒体上でのアップリンクおよびダウンリンク送信を無音化することと
を行うように構成された、通信装置。
［Ｃ１０］  前記少なくとも１つのプロセッサと前記少なくとも１つのメモリとが、アップリンクサブフレームの１つまたは複数のシンボル期間をミュートすることによってアップリンクおよびダウンリンク送信を無音化するように構成された、Ｃ９に記載の装置。
［Ｃ１１］  前記少なくとも１つのプロセッサと前記少なくとも１つのメモリとが、
アップリンクサブフレームの１つまたは複数のシンボル期間中にサウンディング基準信号（ＳＲＳ）ギャップを広告することと、
前記１つまたは複数のシンボル期間中にＳＲＳ送信のためのアクセス端末を構成しないことと
を行うことによってアップリンクおよびダウンリンク送信を無音化するように構成された、Ｃ９に記載の装置。
［Ｃ１２］  リソースの前記第１のセットとリソースの前記第２のセットとが時分割多重化される、ここにおいて、前記少なくとも１つのプロセッサと前記少なくとも１つのメモリとが、リソースの前記第１のセットとリソースの前記第２のセットとの間に発生するように前記再競合ギャップをスケジュールするように構成された、Ｃ９に記載の装置。
［Ｃ１３］  リソースの前記第１のセットとリソースの前記第２のセットとが周波数分割多重化される、ここにおいて、前記少なくとも１つのプロセッサと前記少なくとも１つのメモリとが、リソースの前記第１のセットおよびリソースの前記第２のセット内に発生するように前記再競合ギャップをスケジュールするように構成された、Ｃ９に記載の装置。
［Ｃ１４］  リソースの前記第１のセットとリソースの前記第２のセットとが、時間および周波数において重複している、ここにおいて、前記少なくとも１つのプロセッサと前記少なくとも１つのメモリとが、前記一連の再競合ギャップのうちの少なくとも１つ中に前記通信媒体へのアクセスを求めて競合することに関して前記第２のアクセス端末よりも前記第１のアクセス端末を優先させるようにさらに構成された、Ｃ９に記載の装置。
［Ｃ１５］  前記少なくとも１つのプロセッサと前記少なくとも１つのメモリとが、
前記第１のアクセス端末に１つまたは複数の競合パラメータの第１のセットを送ることと、
前記第２のアクセス端末に１つまたは複数の競合パラメータの第２のセットを送ることと、ここにおいて、１つまたは複数の競合パラメータの前記第１のセットが、ランダム選択競合窓サイズのために１つまたは複数の競合パラメータの前記第２のセットよりも小さい変数空間を定義する、
を行うことによって前記第１のアクセス端末を優先させるように構成された、Ｃ１４に記載の装置。
［Ｃ１６］  アクセスポイントからアクセス端末において、通信媒体上でのアップリンク送信のために前記アクセス端末にリソースのセットを割り振るスケジューリング許可を受信することと、
前記アクセス端末によって、前記スケジューリング許可に基づいて前記通信媒体へのアクセスを求めて競合することと、
前記アクセス端末から前記アクセスポイントに、前記競合することに基づいてリソースの前記割り振られたセットを介してアップリンクトラフィックを選択的に送信することと  を備える、通信方法。
［Ｃ１７］  前記スケジューリング許可が、複数の送信機会（ＴＸＯＰ）にわたって前記アクセス端末に次回の時間および周波数リソースを割り振る、Ｃ１６に記載の方法。
［Ｃ１８］  前記スケジューリング許可が、変調およびコーディング方式の指示をさらに含む、Ｃ１７に記載の方法。
［Ｃ１９］  前記スケジューリング許可が、リソースの前記割り振られたセットに関連する満了期間を含む、Ｃ１６に記載の方法。
［Ｃ２０］  前記アクセスポイントから前記アクセス端末において、前記通信媒体上でのアップリンク送信のために前記アクセス端末にリソースのオーバーライドセットを割り振る第２のスケジューリング許可を受信することと
をさらに備える、Ｃ１６に記載の方法。
［Ｃ２１］  前記第２のスケジューリング許可が、前記第１のスケジューリング許可の満了の前に受信される、Ｃ２０に記載の方法。
［Ｃ２２］  前記選択的に送信することが、
前記競合することが成功したことに応答してリソースの前記割り振られたセットを介して前記アップリンクトラフィックを送信することと、
前記競合することが失敗したことに応答してリソースの前記割り振られたセットを介して前記アップリンクトラフィックを送信するのを控えることと
を備える、Ｃ１６に記載の方法。
［Ｃ２３］  前記競合することが、
リソースの前記割り振られたセットの第１のインスタンスのために前記通信媒体へのアクセスを求めて競合することと、
リソースの前記割り振られたセットの第２のインスタンスのために前記通信媒体へのアクセスを求めて再競合することと
を備える、Ｃ１６に記載の方法。
［Ｃ２４］  アクセスポイントからアクセス端末において、通信媒体上でのアップリンク送信のために前記アクセス端末にリソースのセットを割り振るスケジューリング許可を受信するように構成された少なくとも１つのトランシーバと、
少なくとも１つのプロセッサと、
前記少なくとも１つのプロセッサに結合された少なくとも１つのメモリとを備え、前記少なくとも１つのプロセッサと前記少なくとも１つのメモリとが、前記アクセス端末によって、前記スケジューリング許可に基づいて前記通信媒体へのアクセスを求めて競合することを行うように構成され、
ここにおいて、前記少なくとも１つのトランシーバが、前記アクセス端末から前記アクセスポイントに、前記競合することに基づいてリソースの前記割り振られたセットを介してアップリンクトラフィックを選択的に送信するようにさらに構成された、通信装置。
［Ｃ２５］  前記スケジューリング許可が、複数の送信機会（ＴＸＯＰ）にわたって前記アクセス端末に次回の時間および周波数リソースを割り振る、Ｃ２４に記載の装置。
［Ｃ２６］  前記スケジューリング許可が、変調およびコーディング方式の指示をさらに含む、Ｃ２５に記載の装置。
［Ｃ２７］  前記スケジューリング許可が、リソースの前記割り振られたセットに関連する満了期間を含む、Ｃ２４に記載の装置。
［Ｃ２８］  前記少なくとも１つのトランシーバが、前記アクセスポイントから前記アクセス端末において、前記通信媒体上でのアップリンク送信のために前記アクセス端末にリソースのオーバーライドセットを割り振る第２のスケジューリング許可を受信するようにさらに構成された、Ｃ２４に記載の装置。
［Ｃ２９］  前記少なくとも１つのトランシーバが、前記第１のスケジューリング許可の満了の前に前記第２のスケジューリング許可を受信するようにさらに構成された、Ｃ２８に記載の装置。
［Ｃ３０］  前記少なくとも１つのプロセッサと前記少なくとも１つのメモリとが、
リソースの前記割り振られたセットの第１のインスタンスのために前記通信媒体へのアクセスを求めて競合することと、
リソースの前記割り振られたセットの第２のインスタンスのために前記通信媒体へのアクセスを求めて再競合することと
を行うようにさらに構成された、Ｃ２４に記載の装置。